(57)【要約】      （修正有）【課題】蓋付きペダル式ダストボックスのように開閉時に振動があるものでも、ダストボックス内のゴミ袋がずれたり、滑り落ちたせず、ダストボックスとゴミ袋の隙間にゴミが落ちず、ダストボックスの形状やサイズに幅広く適応する着脱式ゴミ袋保持装置を提供する。【解決手段】上部にゴミ収納口２を有し、蓋体３を装備したダストボックス本体１と、ゴミ収納口２から装填されると共に、該ボックス本体１の外周に折り返されたゴミ袋５と、該ボックス本体１の外周に巻回されると共に、折り返されたゴミ袋５の周縁を該ボックス本体１の外周とで挟持する柔軟性のベルト主体６と、ベルト主体６の上部位置で、全長に亘って備えられた帯状磁石と、帯状磁石の下部位置に一定間隔にて備えられた左右方向に少許移動する複数の磁石片と、ベルト主体６をダストボックス本体１の外周に巻回してベルト主体６の重畳した両端部を互い着脱自在に結着する。【選択図】図１
2011236007.tif 000002
【特許請求の範囲】
【請求項１】
上部にゴミ収納口を有し、且つ該ゴミ収納口を開閉する蓋体を装備したダストボックス本体と、前記ゴミ収納口から装填されると共に、前記ダストボックス本体の外周に周縁を折り返されたゴミ袋と、前記ダストボックス本体の外周に巻回されると共に、前記折り返されたゴミ袋の周縁を該ダストボックス本体の外周とで挟持する繊維、合成繊維、合成樹脂等にて形成された柔軟性のベルト主体と、更に該ベルト主体の上部位置で、而も全長に亘って備えられた帯状磁石と、該帯状磁石の下部位置に一定間隔にて備えられた左右方向に少許移動する複数の磁石片と、前記ベルト主体をダストボックス本体の外周に巻回して
該磁石片をダストボックス本体の外周の任意位置に吸着させた状態において該ベルト主体の重畳した両端部を互い着脱自在に結着する結着部とで成したことを特徴とするダストボックスにおけるゴミ袋保持装置。
【請求項２】
ダストボックス本体は、磁性金属製とし、該磁性金属製ダストボックス本体にベルト主体の磁石を吸着したことを特徴とする請求項１記載のゴミ袋保持装置。
【請求項３】
ダストボックス本体は、外周に磁性テープを貼着し、該磁性テープにベルト
主体の磁石を吸着したことを特徴とする請求項１記載のゴミ袋保持装置。
【請求項４】
前記結着部は、ダストボックス本体に備えられた磁性部材と、この磁性部材に着脱自在に磁気吸着されるベルト主体に設けた磁石とで成したことを特徴とする請求項１記載のゴミ袋保持装置。
【請求項５】
前記結着部は、面ファスナーとしたことを特徴とする求項１記載のゴミ袋保持装置。
【請求項６】
前記ベルト主体は、一枚の繊維、合成繊維素地を二重に折り返して縫い合わせると共に帯状磁石及び複数の磁石片を夫々収納する上下段袋部を形成したことを特徴とした請求項１記載のゴミ袋保持装置。
【請求項７】
前記ベルト主体は、一枚の合成樹脂素地を張り合わせて熱溶着させると共に帯状磁石及び複数の磁石片を夫々収納する上下段袋部を形成したことを特徴とした請求項１記載のゴミ袋保持装置。
【発明の詳細な説明】
【技術分野】
【０００１】
本発明はナイロン、ポリエチレン等の薄膜樹脂製ゴミ袋をダストボックスの任意の大きさ、更には形状に対応して装填保持するダスト袋保持装置に関する。
【背景技術】
【０００２】
一般的にダストボックスは、ゴミ量、更には室内とのマッチング、個人的嗜好等によって大きさ、形状が異なる。従ってゴミ袋は、ナイロン、ポリエチレン等の薄膜樹脂製であることから、その柔軟性にてダストボックスの形状の異なりに追随できる反面、ダストボックス内にずり込む虞がある。
【０００３】
そこで、ダストボックスの外周に巻き返されたゴミ袋の周縁をゴムバンド、或いは細紐にて巻き付け保持することが一般的に行われている。  又、より確実性を高める上で例えば下記特許文献が存在する。  即ち、ゴム、糸等をメッシュ状に縫製して輪状ベルトとし
ているが、輪状のためダストボックスの外周形状には対応できるが、輪状ベルトの径にも一定の限界があり、且つ弾性劣化に伴って保持が不安定となる。  特に使用場所によっては、ダストボックスの感性を軽視できないことも事実である。
【先行技術文献】
【特許文献】
【０００４】
【特許文献１】実用新案登録第３０８１１６８号
【発明の概要】
【発明が解決しようとする課題】
【０００５】
ゴム、糸等をメッシュ状に縫製して輪状ベルトとすることによるダストボックスの外径への適用限界、更には弾性劣化に伴う保持力の不安定課題、更には使用場所とのバランスをも重視して、ダストボックスの感性が損なわれることへの課題を解決する。
【課題を解決するための手段】
【０００６】
本発明は上部にゴミ収納口を有し、且つ該ゴミ収納口を開閉する蓋体を装備したダストボックス本体と、前記ゴミ収納口から装填されると共に、前記ダストボックス本体の外周
に周縁を折り返されたゴミ袋と、前記ダストボックス本体の外周に巻回されると共に、前記折り返されたゴミ袋の周縁を該ダストボックス本体の外周とで挟持する繊維、合成繊維、合成樹脂等にて形成された柔軟性のベルト主体と、更に該ベルト主体の上部位置で、而も全長に亘って備えられた帯状磁石と、該帯状磁石の下部位置に一定間隔にて備えられた左右方向に少許移動する複数の磁石片と、前記ベルト主体をダストボックス本体の外周に
巻回して該磁石片をダストボックス本体の外周の任意位置に吸着させた状態において該ベルト主体の重畳した両端部を互い着脱自在に結着する結着部とで成したことを特徴とするものである。
【０００７】
更に本発明はダストボックス本体を磁性金属製とし、該磁性金属製をダストボックス本体にベルト主体の磁石を吸着したことを特徴とするものである。
【０００８】
又本発明はダストボックス本体の外周に磁性テープを貼着し、該磁性テープにベルト主体の磁石を吸着したことを特徴とするものである。
【０００９】
又本発明は結着部をダストボックス本体に備えられた磁性部材と、この磁性部材に着脱自在に磁気吸着されるベルト主体に設けた磁石とで成したことを特徴とするものである。
【００１０】
更に本発明は結着部を面ファスナーとしたことを特徴とするものである。
【００１１】
又本発明はベルト主体を一枚の繊維、合成繊維素地を二重に折り返して縫い合わせると共に、帯状磁石及び複数の磁石片を夫々収納する上下段袋部を形成したことを特徴とする
ものである。
【００１２】
更に前記ベルト主体を、一枚の合成樹脂素地を張り合わせて熱溶着させると共に、帯状磁石及び複数の磁石片を夫々収納する上下段袋部を形成したものである。
【発明の効果】
【００１３】
（１）請求項１により、ダストボックス内に入れるゴミ袋は、それ専用に合うゴミ袋をさがし求めて使用するのではなく、スーパーのポリ袋等をゴミ袋として使用することが多
く、最適なサイズばかりではない。蓋付ペダル式ダストボックスのように、特にゴミ袋が開閉時に滑り落ちし易いダストボックスにおいて、本発明はダストボックスの外周と折り返されたゴミ袋を挟持できる磁石構成により、ゴミ袋の滑り落ちが無くなり、ダストボックスの隙間にゴミが落ちにくくゴミ袋保持装置として効果が得られる。
【００１４】
（２）請求項３により、ダストボックス本体が、合成樹脂製、アルミ金属製においても対応でき、使用場所にマッチしたダストボックスを選択でき、感性を高めることができる。
【００１５】
(３)請求項４により、同種の磁性材を使用できる。
【００１６】
(４)請求項５により面ファスナーのため、嵩張らず、違和感を軽減できる。
【００１７】
（５）請求項６により、所定の位置に定まり、ベルト主体を全体で保持することができる。
【００１８】
（６）請求項７により、縫い合わせに比べて制作が容易にできる。
【図面の簡単な説明】
【００１９】
【図１】本発明のダストボックスにおけるゴミ袋保持装置の斜視図
【図２】同上の断面図
【図３】ベルト主体の正面図
【図４】同上のＥ−Ｅ線拡大断面図
【図５】同上のＦ−Ｆ線拡大断面図
【図６】同上の拡大部分の断面図
【図７】同上の使用状況を示す断面図
【図８】同上の異なる実施例
【図９】同上の異なる実施例
【発明を実施するための形態】
【００２０】
以下本発明を実施例として掲げた図面に基づいて説明する、図１はダストボックスにおけるゴミ袋保持装置の使用状態を示す斜視図であって、図２はその断面図である。ダストボックス本体１は上部にゴミ収納口２を有し、且つ該ゴミ収納口２に開閉自在に蓋体３を装備している。  具体的には、金属線にて四角形に形成し、その四角形枠４の上片４ａをダストボックス本体１に挿入し、この且つ上片４ａを中心に反転させて下片４ｂを蓋体３に引掛けて閉蓋させている。上記蓋体３を開蓋下状態において、ゴミ収納口２からダストボックス本体１に装填する、このゴミ袋５は、ナイロン、ポリエチレン等の薄膜樹脂製で
あることから、その柔軟性にてダストボックス本体１の形状の異なりに追随してダストボックス本体１内にずり込み、且つダストボックス本体１の外周１ａに周縁５ａを折り返され、巻回される。  而して、上記ダストボックス本体１の外周１ａには、柔軟性のベルト主体６を巻回し、折り返されたゴミ袋５の周縁５ａを該ダストボックス１の外周１ａとで挟持する。
【００２１】
この柔軟性のベルト主体６は繊維、合成繊維、合成樹脂等にて形成されており図３に示すように、上部位置で而も全長に亘って帯状磁石М１を有する  この柔軟性のベルト主体６は、図４、５に示す如く、一枚の素地を二重に折り返して夫々の表裏地片６ａ、６ｂを互いに縫い合わせて成している。  勿論、この柔軟性のベルト主体６は、合成繊維、合成樹脂にて形成する場合は、互いに熱溶着して成す。  柔軟性のベルト主体６には、前記帯状磁石М１を上段に、中段に一定間隔にて左右方向に少許移動する複数の磁石片М２を備えている。  而して、これら帯状磁石М１及び複数の磁石片М２は、柔軟性のベルト主体
６に区分して縫い合わされて形成された上段袋部７及び中段袋部８に夫々収納されており、中段袋部８は磁石片М２の個数に対応して複数区分されている。勿論、帯状磁石М１は柔軟性のベルト主体６の全長に亘って収納されるものであるから、一本のものでもよく、又、適宜寸断されたものを複数本収納してもよい。
【００２２】
更に柔軟性のベルト主体６の両端部６ｃ、６ｄは、ダストボックス本体１の外周１ａに巻回されて重畳した際、互い着脱自在に結着する結着部１０、１１を有する。具体的には、図６に示す如く、一方端部６ｄは、中段袋部８の磁石片М２の下部に位置する様、下段磁石片М３を備え、図７に示す如く、重畳した他方端部６ｃの外側面に一方端部６ｄの下段磁石片М３が外周１ａに吸着して押さえ込んでいる。
【００２３】
又、図８に示す如く、下段磁石片М３に替え、面ファスナー１２としてもよい。
【００２４】
更に、図１、２に於いては、ダストボックス本体１の全体を磁性体にて形成し、帯状磁石М１、磁石片М２、М３が吸着する様にしているが、勿論、図９の如く、磁性テープ１３を巻き付けてもよい。
【００２５】
而して、図３に示す如く、帯状磁石М１、複数の磁石片М２、下段磁石片М３の各袋部７、８、９は横線の縫目糸所ｔ１、ｔ２、ｔ３、ｔ４にて、縦線の縫い目所はｔ６、ｔ７に区分けされている。ｔ５は主体ベルト６の裾線の縫い目所である。
【００２６】
ベルト主体６の素地は、生ゴミ等の汚れが付着しても、処理しやすいように洗濯可能もしくは、防水性があり、水拭き可能なものが最適である。
【００２７】
ベルト主体６は、ダストボックス本体１と蓋体３が接合する飛び出し部分の形状においても、前記磁石構成により複数の磁石片を左右方向に少許移動することで沿い易くなる。
又ベルト主体６は、円柱型のダストボックスだけでなく、三角柱や四角柱等の多角形のダストボックスにも適応し、幅広いサイズに対応する。
【符号の説明】
【００２８】
М１    帯状磁石
М２    中段の磁石片
М３    下段の磁石片
１      ダストボックス本体
１ａ    外周
２      ゴミ収納口
３      蓋体
４      四角形枠
４ａ    上片
４ｂ    下片
５      ゴミ袋
５ａ    周縁
６      ベルト主体
６ａ    表地片    
６ｂ    裏地片
６ｃ    両端部
６ｄ    同上
７      上段袋部
８      中段袋部
９      下段袋部
１０    結着部
１１    同上
１２    面ファスナ―
１３    磁性テープ
ｔ１    横線の縫い目所
ｔ２    同上
ｔ３    同上
ｔ４    同上
ｔ５    裾線の縫い目所
ｔ６    縦線の縫い目所
ｔ７    同上
【図１】
2011236007.tif 000003
【図２】
2011236007.tif 000004
【図３】
2011236007.tif 000005
【図４】
2011236007.tif 000006
【図５】
2011236007.tif 000007
【図６】
2011236007.tif 000008
【図７】
2011236007.tif 000009
【図８】
2011236007.tif 000010
【図９】
2011236007.tif 000011